(57)【特許請求の範囲】
【請求項１】
外部から供給される第１の音高を指示する第１の楽音データを、前記第１の楽音データとは所定量異なり、第２の音高を指示する第２の楽音データに変換する変換手段と、
可聴帯域の上限を超える周波数の周期信号が供給され、前記第１の楽音データと前記第２の楽音データとを交互に、該周期信号の周期毎に繰り返し出力する選択手段と、
前記選択手段により交互に出力された第１の楽音データと第２の楽音データを受け、前記第１の楽音データに応じた周波数の信号と前記第２の楽音データに応じた周波数の信号とを交互に生成し、前記周期信号の周期で繰り返し出力することで楽音信号を形成する楽音信号形成手段と、
を具備してなる音源回路。
【請求項２】
外部から供給される第１の音高を指示する第１の楽音データをそのまま出力する処理と、前記第１の楽音データを、該第１の楽音データとは所定量異なり第２の音高を指示する第２の楽音データに変換して出力する処理とを交互に、外部から供給される可聴帯域の上限を超える周波数の周期信号の周期毎に繰り返し行うデータ処理手段と、
前記データ処理手段により交互に出力された第１の楽音データと第２の楽音データを受け、前記第１の楽音データに応じた周波数の信号と前記第２の楽音データに応じた周波数の信号とを交互に生成し、前記周期信号の周期で繰り返し出力することで楽音信号を形成する楽音信号形成手段と、
を具備してなる音源回路。
【請求項３】
前記データ処理手段は、前記第１の楽音データの最下位ビットを周期信号に基づいて反転する排他的論理和回路であることを特徴とする請求項２に記載の音源回路。
【請求項４】
前記データ処理手段は、前記第１の楽音データに０または一定値を交互に加算する加算回路であることを特徴とする請求項２に記載の音源回路。
【請求項５】
外部から供給される第１の音高を指示する第１の楽音データを、それぞれ前記第１の楽音データとは所定量異なり、第２〜第ｎの音高を指示する第２〜第ｎの楽音データに変換する変換手段と、
可聴帯域の上限を超える周波数の周期信号が供給され、前記第１〜第ｎの楽音データを順次選択的に、該周期信号の周期毎に繰り返し出力する選択手段と、
前記選択手段により順次出力された第１の楽音データ〜第ｎの楽音データを受け、前記第１の楽音データに応じた周波数の信号〜前記第ｎの楽音データに応じた周波数の信号を順次生成し、前記周期信号の周期で繰り返し出力することで楽音信号を形成する楽音信号形成手段と、
を具備してなる音源回路。
【請求項６】
通信手段を介して受信した着信信号を受けて、着信音を発生する電話端末装置において、  楽音データが記憶されている記憶手段と、
前記着信信号を受けて、前記記憶手段内の楽音データを順次読み出し、出力する制御手段と、
前記制御手段から出力される楽音データを受け、楽音信号を形成する前記請求項１乃至請求項５のいずれかの項に記載の音源回路と、
前記音源回路の出力を受け着信音を発生する楽音発生手段と、
を具備してなる電話端末装置。
【請求項７】
楽音データが記憶されている記憶手段と、
保留音発生指示を受け、前記記憶手段内の楽音データを順次読み出し、出力する制御手段と、
前記制御手段から出力される楽音データを受け、楽音信号を形成する前記請求項１乃至前記請求項５のいずれかの項に記載の音源回路と、
前記音源回路の出力を受け保留音を発生する楽音発生手段と、
を具備してなる電話端末装置。
【請求項８】
前記供給される周期信号の周波数は、楽音信号のサンプリング周波数（ｆＳ）であることを特徴とする請求項１または請求項５に記載の音源回路。
【発明の詳細な説明】
【０００１】
【発明の属する技術分野】
この発明は、携帯電話機、自動車電話機、小型ゲーム機等に用いて好適な音源回路およびそれを用いた電話端末装置に関する。
【０００２】
【従来の技術】
従来、携帯電話機や自動車電話機に着信があった場合、ビープ音が発生して着信をユーザに知らせるようになっている。しかしながら、このビープ音は耳障りであることから、近年、携帯電話機等の内部に音源回路を設け、この音源回路によって発生したメロディ音を着信音に使うことが行われつつある。
【０００３】
【発明が解決しようとする課題】
ところで、携帯電話機等の小型機器に用いられる音源回路は小型かつ安価なことが必要であり、このため、通常、単音用の音源回路が用いられる。しかし、単音用の音源回路の発生音は、かなり単調な、かつ、厚みのない薄っぺらな音になってしまう。そこで発生音にコーラス効果を付与し、音に厚みをもたせることが考えられる。しかし、従来のコーラス効果の付与はエフェクタ（効果装置）を音源回路の後部に設けて行われるが、このエフェクタを設けると、構成が複雑、かつ高価となってしまい、携帯電話機等には採用しきれない問題があった。
【０００４】
そこで、この発明は、簡単かつ安価な構成によってコーラス効果の付与を行うことができる音源回路およびそれを用いた電話端末装置を提供することを目的としている。
【０００５】
【課題を解決するための手段】
上記の目的を達成するために、請求項１に記載の発明は、外部から供給される第１の音高を指示する第１の楽音データを、前記第１の楽音データとは所定量異なり、第２の音高を指示する第２の楽音データに変換する変換手段と、可聴帯域の上限を超える周波数の周期信号が供給され、前記第１の楽音データと前記第２の楽音データとを交互に、該周期信号の周期毎に繰り返し出力する選択手段と、前記選択手段により交互に出力された第１の楽音データと第２の楽音データを受け、前記第１の楽音データに応じた周波数の信号と前記第２の楽音データに応じた周波数の信号とを交互に生成し、前記周期信号の周期で繰り返し出力することで楽音信号を形成する楽音信号形成手段とを設けたことを特徴とする。
【０００６】
請求項２に記載の発明は、外部から供給される第１の音高を指示する第１の楽音データをそのまま出力する処理と、前記第１の楽音データを、該第１の楽音データとは所定量異なり第２の音高を指示する第２の楽音データに変換して出力する処理とを交互に、外部から供給される可聴帯域の上限を超える周波数の周期信号の周期毎に繰り返し行うデータ処理手段と、前記データ処理手段により交互に出力された第１の楽音データと第２の楽音データを受け、前記第１の楽音データに応じた周波数の信号と前記第２の楽音データに応じた周波数の信号とを交互に生成し、前記周期信号の周期で繰り返し出力することで楽音信号を形成する楽音信号形成手段とを設けたことを特徴とする。
請求項３に記載の発明は、請求項２に記載の音源回路において、前記データ処理手段は、前記第１の楽音データの最下位ビットを周期信号に基づいて反転する排他的論理和回路であることを特徴とする。
請求項４に記載の発明は、請求項２に記載の音源回路において、前記データ処理手段は、前記第１の楽音データに０または一定値を交互に加算する加算回路であることを特徴とする。
【０００７】
請求項５に記載の発明は、外部から供給される第１の音高を指示する第１の楽音データを、それぞれ前記第１の楽音データとは所定量異なり、第２〜第ｎの音高を指示する第２〜第ｎの楽音データに変換する変換手段と、可聴帯域の上限を超える周波数の周期信号が供給され、前記第１〜第ｎの楽音データを順次選択的に、該周期信号の周期毎に繰り返し出力する選択手段と、前記選択手段により順次出力された第１の楽音データ〜第ｎの楽音データを受け、前記第１の楽音データに応じた周波数の信号〜前記第ｎの楽音データに応じた周波数の信号を順次生成し、前記周期信号の周期で繰り返し出力することで楽音信号を形成する楽音信号形成手段とを設けたことを特徴とする。
請求項６に記載の発明は、通信手段を介して受信した着信信号を受けて、着信音を発生する電話端末装置において、  楽音データが記憶されている記憶手段と、前記着信信号を受けて、前記記憶手段内の楽音データを順次読み出し、出力する制御手段と、前記制御手段から出力される楽音データを受け、楽音信号を形成する前記請求項１乃至請求項５のいずれかの項に記載の音源回路と、前記音源回路の出力を受け着信音を発生する楽音発生手段とを具備してなる電話端末装置である。
【０００８】
請求項７に記載の発明は、楽音データが記憶されている記憶手段と、保留音発生指示を受け、前記記憶手段内の楽音データを順次読み出し、出力する制御手段と、前記制御手段から出力される楽音データを受け、楽音信号を形成する前記請求項１乃至前記請求項５のいずれかの項に記載の音源回路と、前記音源回路の出力を受け保留音を発生する楽音発生手段とを具備してなる電話端末装置である。
請求項８に記載の発明は、請求項１または請求項５に記載の音源回路において、前記供給される周期信号の周波数は、楽音信号のサンプリング周波数（ｆＳ）であることを特徴とする。
【０００９】
【発明の実施の形態】
以下、図面を参照しこの発明の実施の形態について説明する。図１はこの発明の実施の形態によるに音源回路１の構成を示すブロック図であり、この図に示す音源回路１はＦＭ変調方式によって楽音信号を形成する。この図において、符号Ｔ１は発生楽音の音色を決める音色データωｍが印加される端子、Ｔ２は発生楽音の音高を指示する楽音データωｃ1が印加される端子、Ｔ３は周期信号Ｓａが印加される端子である。符号２は楽音データ変換回路であり、楽音データωｃ１を、値が僅かに異なる楽音データωｃ２に変換して出力する。例えば、楽音データωｃ１に「１」、「２」等の小さい数値を加算し、あるいは減算して出力する。
【００１０】
フェイズジェネレータ３は変調信号（ディジタル信号）を発生する回路であり、音色データωｍに応じた傾斜の鋸歯状波を発生する鋸歯状波発生回路と、正弦波テーブルとを有して構成され、上記鋸歯状波発生回路の出力データによって正弦波テーブルを読み出すことにより、音色データωｍに応じた周波数の正弦波
Ｂｓｉｎ（ωｍｔ）
を出力する。
【００１１】
セレクタ４は周期信号Ｓａが”１”の時、楽音データωｃ1を、周期信号Ｓａが”０”の時楽音データωｃ2を選択して出力する。オペレータ６はセレクタ４の出力データωｃ1（またはωｃ2）に対応する周波数の正弦波であってフェイズジェネレータ３から出力される正弦波によって周波数変調がかけられた正弦波を出力する回路である。すなわち、このオペレータ６は、音色データωｃ1（またはωｃ2）に応じた傾斜の鋸歯状波を発生する鋸歯状波発生回路と、この鋸歯状波発生回路の出力とフェイズジェネレータ３の出力とを加算する加算回路と、正弦波テーブルとを有して構成されている。なお、正弦波テーブルには、例えば差分ＰＣＭ方式によって正弦波が記憶されている。そして、上記加算回路の出力データによって正弦波テーブルを読み出すことにより、楽音データωｃ1（またはωｃ2）に応じた周波数の被変調波
Ａｓｉｎ（ωｃ1ｔ＋Ｂｓｉｎωｍｔ）または
Ａｓｉｎ（ωｃ2ｔ＋Ｂｓｉｎωｍｔ）
を出力する。アキュムレータ７はオペレータ６から出力されるデータを累算して楽音信号（ディジタル信号）を形成し出力する。
【００１２】
このような構成において、音色データωｍを端子Ｔ１へ印加し、また、端子Ｔ３へ”１”信号を印加し、そして、端子Ｔ２へ、メロディに沿って逐次変化する楽音データωｃ1を印加すると、音色データωｍに応じた音色を有し、印加した楽音データωｃ1に応じたメロディの単音楽音信号がアキュムレータ７から出力される。一方、端子Ｔ３へ”０”信号を印加すると、楽音データ変換回路２の出力、すなわち、楽音データωｃ1を僅かに変化させた楽音データωｃ2に基づく単音楽音信号がアキュムレータ７から出力される。すなわち、楽音データωｃ1に基づく楽音信号の音程をわずかにずらした音程の楽音信号が出力される。
【００１３】
そこで、端子Ｔ３へ、例えば５０ＫＨｚで”１”、”０”を繰り返す周期信号Ｓａを印加すると、楽音データωｃ1に基づく楽音信号と、楽音データωｃ2に基づく楽音信号が短かい周期で交互に発生する。すなわち、電子楽器のエフェクタでいうコーラス効果とほぼ同様な効果が付与された楽音信号がアキュムレータ７から出力される。この場合、周期信号Ｓａとして楽音データのサンプリング周波数ｆｓを用いてもよい。
【００１４】
【００１５】
なお、楽音データ変換回路２およびセレクタ４に代えて、図２に示すように、加算器８を設け、その第１入力端Ａに楽音データωｃ1を印加し、第２入力端Ｂに「０」を印加し、キャリイイン端子ＣＩへ周期信号Ｓａを印加してもよい。これにより、周期信号Ｓａが”０”の時楽音データωｃ1に基づく楽音信号が形成され、周期信号Ｓａが”１”の時楽音データωｃ1に「１」を加えた楽音データに基づく楽音信号が形成される。
【００１６】
また、楽音データ変換回路２およびセレクタ４に代えて、図３に示すように、排他的論理和回路９を設け、その第１入力端に楽音データωｃ1のＬＳＢ（最下位ビット）を印加し、第２入力端に周期信号Ｓａを印加し、排他的論理和回路９の出力を楽音データωｃ1の最下位ビットとして再び加えてもよい。これにより、周期信号Ｓａが”１”の時楽音データωｃ1の最下位ビットが反転されて出力され、周期信号Ｓａが”０”の時は、楽音データωｃ1の最下位ビットがそのまま出力され、これにより、楽音信号にコーラス効果を付与することができる。
【００１７】
また、楽音データ変換回路２およびセレクタ４に代えて、図４に示すように、複数の楽音データ変換回路１０ａ、１０ｂ、１０ｃ、・・・とセレクタ１１を設けてもよい。この場合、楽音データの周波数ｆに対し、楽音データ変換回路１０ａ、１０ｂ、１０ｃ、・・・の出力信号の周波数をそれぞれ周波数ｆと僅かに異なる周波数ｆ＋α、ｆ＋β、ｆ−γとし、また、セレクタ１１によって、端子Ｔ２および楽音データ変換回路１０ａ、１０ｂ、１０ｃ、・・・の各出力を順次一定周期で選択してオペレータ６へ出力する。このような構成により、コーラス効果に多様性を与えることができる。
【００１８】
また、セレクタ４は楽音データと楽音データ変換回路２の出力データとを交互に選ぶのではなく、楽音データ３回に対し楽音データ変換回路２の出力データを１回選ぶというように、楽音データ変換回路２の出力データ選ぶ頻度を変えてもよい。
また、楽音データ変換回路２の出力周波数をｆ＋α（ｆ：楽音データの周波数）を２ｆ等の倍音としてもよい。２ｆとした場合、オクターブ奏法となる。
また、上述した実施の形態はＦＭ変調方式によって楽音信号を形成しているが、これに限らず、ＰＣＭ方式（波形メモリ方式）等他の楽音信号形成方式を用いた音源でも勿論この発明を適用することができる。
【００１９】
次に、この発明の第２の実施形態について説明する。図５および図６は、図１に示す音源回路１を適用した携帯電話機（電話端末装置）の構成を示すブロック図である。図５において、符号１２はＣＰＵ（中央処理装置）であり、携帯電話機の各部を制御する。１３はＣＰＵ１２において用いられるプログラムが記憶されていると共に、着信音の音色データおよび楽音データ、保留音の音色データおよび楽音データが各々記憶されたＲＯＭ、１４はデータ一時記憶用のＲＡＭである。１５は小型液晶表示器によって構成された表示部、１６はテンキー、ファンクションキー等から構成された入力部である。
【００２０】
１７は通信部であり、送信する信号を搬送波に乗せてアンテナ１８から送信し、また、アンテナ１８によって受信された信号を復調して音声処理部１９へ出力する。音声処理部１９は、通信部１７から出力される符号化された音声信号をデコードし、次いでアナログ信号に変換し、楽音再生部２１へ出力する。また、マイクロフォン２０から出力される音声信号を符号化し、通信部１７へ出力する。
【００２１】
楽曲再生部２１は、着信音、保留音を発生する回路であり、その詳細を図６によって説明する。図６において、２４はインターフェイス回路であり、ＣＰＵ１２からバスＢを介して供給されるデータをコントローラ２５へ出力する。コントローラ２５は、ＣＰＵ１２からインターフェイス回路２４を介して供給される着信音の音色データおよび楽音データ、保留音の音色データおよび楽音データを各々内部のメモリおよびＲＡＭ２６に記憶する。そして、ＣＰＵ１２から着信音発生指令が供給されると、まず、着信音の音色データを音源回路１に設定し、次いでＲＡＭ２６から楽音データを順次読み出し、音源回路１へ出力し、また、システムクロックから生成した周期信号Ｓａを音源回路１へ出力する。これにより、音源回路１からコーラス効果が付与された楽音データがＤＡＣ２８へ出力される。ＤＡＣ２８は音源回路１の出力をアナログ信号に変換し、バッファ３０を介してスピーカ３１へ出力する。これにより、スピーカ３０から着信音が発生する。なお、この場合、バッファ３２はオフ状態とされる。
【００２２】
また、ＣＰＵ１２から保留音発生指令が供給された場合は、保留音の音色データを音源回路１に設定し、次いでＲＡＭ２６から保留音の楽音データを順次読み出して音源回路１へ出力し、また、周期信号Ｓａを音源回路１へ出力する。これにより、音源回路１からコーラス効果が付与された保留音の楽音データがＤＡＣ２８へ出力される。ＤＡＣ２８は音源回路１の出力をアナログ信号に変換し、バッファ３２および混合回路３３を介してスピーカ３４へ出力する。これにより、スピーカ３４から保留音が発生する。なお、この場合、バッファ３０はオフ状態とされる。また、音源回路１から出力された保留音の楽音データは、音声処理部１９を介して通信部１７へ供給され、この通信部１７から通話先へ送信される。なお、符号３５は音声処理部１９から供給される音声信号を増幅するバッファである。
このように、上記の実施形態によれば、着信音および保留音として単なる単音メロディではなく、コーラス効果が付与されたメロディ音を発生することができる。これにより、携帯電話機の所有者のみならず周囲の人および保留音を聞く通話相手にもにも心地よいメロディを聞かせることができる。
【００２３】
【発明の効果】
以上説明したように、この発明によれば、外部から供給される第１の楽音データを、値がわずかに異なる第２の楽音データに変換する変換手段と、前記第１の楽音データと前記第２の楽音データとを交互に出力する選択手段と、前記選択手段の出力に基づいて楽音信号を形成する楽音信号形成手段とを設けたので、簡単かつ安価な構成によって発生楽音にコーラス効果の付与を行うことができる。また、請求項５に記載の発明によれば、１音とは思えない多様な表現が可能になる効果が得られる。また、請求項６および請求項７に記載の発明によれば、単調でなく、厚みのある着信音あるいは保留音を発生することができる効果がある。
【図面の簡単な説明】
【図１】この発明の第１の実施形態の構成を示すブロック図である。
【図２】同実施形態の第１の変形例を説明するためのブロック図である。
【図３】同実施形態の第２の変形例を説明するためのブロック図である。
【図４】同実施形態の第３の変形例を説明するためのブロック図である。
【図５】この発明の第２の実施形態の構成を示すブロック図である。
【図６】図６における楽曲再生部２１の構成を示すブロック図である。
【符号の説明】
１…音源回路、２…楽音データ変換回路、４…セレクタ、６…オペレータ、７…アキュムレータ、８…加算器、９…排他的論理和回路、１０ａ，１０ｂ，１０ｃ…楽音データ変換回路、１１…セレクタ、１２…ＣＰＵ、１３…ＲＯＭ、１４…ＲＡＭ、２１…楽曲再生部。
【図１】
0003603705.tif 000002
【図２】
0003603705.tif 000003
【図３】
0003603705.tif 000004
【図４】
0003603705.tif 000005
【図５】
0003603705.tif 000006
【図６】
0003603705.tif 000007